(57)【要約】  漏れ光波長成分が少なく、かつ波長と照射方向が容易に切り替えられるようにするために、生体試料が載置される試料ホルダーと、レーザダイオード又は発光ダイオードからなり互いに異なる位置に配置された複数の励起光源、及び励起光源ごとに設けられて各励起光源スペクトル中検出蛍光の波長成分と重なる妨害波長成分を除去する光学特性をもつフィルタを備えた励起光照射装置と、励起光源の点灯を切り替えるための電気的スイッチと、試料ホルダー上の試料から放出される蛍光の像を撮影する検出器と、検出器が撮影した画像を表示する画像表示装置とを備えている。
2008114372.tif 000002
【特許請求の範囲】
【請求項１】
生体試料が載置される試料ホルダーと、
互いに異なる位置に配置された複数の励起光源を有する励起光照射装置と、
前記励起光源の点灯状態を制御する電気的スイッチと、
前記試料ホルダー上の試料から放出される蛍光の内の所定波長成分だけを透過させる蛍光側フィルタと、
前記蛍光側フィルタを透過した蛍光による蛍光像を撮影する検出器と、
前記検出器が撮影した画像を表示する画像表示装置と、を備え、さらに
前記励起光照射装置は、前記励起光源から放射される励起光から、少なくとも蛍光側フィルタが通過させる波長と同じ波長成分の光を除去する光学フィルタを、それぞれの励起光源毎に備えていることを特徴とする生体用蛍光測定装置。
【請求項２】
前記複数の励起光源は前記電気的スイッチによる励起光源の点灯の切替えに伴なって励起光の波長も切り替えられる請求項１に記載の生体用蛍光測定装置。
【請求項３】
前記複数の励起光源は前記電気的スイッチによる励起光源の点灯のオン・オフに伴なって試料に対する励起光の照射方向のオン・オフを選ぶことができる請求項１に記載の生体用蛍光測定装置。
【請求項４】
前記検出器は２次元検出器であり、
前記試料ホルダー上の試料から放出する蛍光を複数方向から観測するために複数の蛍光画像を前記２次元検出器に導く導光光学系を備えた上、さらに励起光を多数の異なる方向から試料に照射する機能を備えた請求項１、２又は３に記載の生体用蛍光測定装置。
【請求項５】
励起光を照射することにより試料から放出される蛍光の内、所定波長成分だけを透過させる蛍光側フィルタを通過した蛍光を、蛍光像として撮影する生体用蛍光測定装置内に収納される蛍光測定用励起光照射装置であって、
レーザダイオード又は発光ダイオードからなる励起光源、及び前記励起光源に一体的に設けられ、前記励起光源スペクトル中、少なくとも前記所定波長成分を除去する光学特性をもつフィルタを含む照明ユニットと、
前記励起光源の点灯状態を制御する電気的スイッチと、を備えた蛍光測定用励起光照射装置。
【請求項６】
前記照射ユニットは励起光源とフィルタの組を複数組備えている請求項５に記載の励起光照射装置。
【請求項７】
前記電気的スイッチのオン・オフによって、前記複数の励起光源とフィルタの組の内の所定の組を選択することで波長の切り替えを行う請求項６に記載の励起光照射装置。
【請求項８】
前記励起光源からの発光を、発散角を制限する開口又は発散角を小さくする平行化レンズを経由した後にフィルタに入射させるとともに、前記フィルタの出射側にはフィルタを透過した光を発散させる発散化レンズが配置されている請求項５に記載の励起光照射装置。
【請求項９】
前記照射ユニットは蛍光測定装置内に設けられた保持部に着脱可能に装着されるようになっている請求項５に記載の励起光照射装置。
【発明の詳細な説明】
【技術分野】
【０００１】
本発明は、小動物を対象とする光バイオイメージング技術に関する。
【背景技術】
【０００２】
生体中の分子種がどのように分布しているかを画像化する手法は医学、生物学の重要な研究方法である。これまで「細胞レベル」では顕微鏡を使い、蛍光色素を付着した分子プローブや、化学発光を用いる分子プローブを用いて、分子種を画像化する方法がひろく行われて来た。今後は細胞レベルからより大きな「臓器」やさらに「動物の個体」に対して、注目している分子種が分布している様子を生きたまま観察する装置が要求されている。例えばマウスなど個体におけるガン細胞に蛍光プローブが結合するようにして、注目するガン細胞の増殖の様子を画像化し、毎日とか毎週とかの経時変化として観測する技術である。従来の細胞レベル用の測定装置で動物個体内部のガン細胞の増殖を見るためには、動物を殺して所定の部分を染色したり、蛍光体を付けたりして観察することになるが、それでは１つの個体に対する長期間にわたる細胞の経時的な増殖を見ることができない。この理由で小動物個体の内部情報の分子種を、個体が生きたままの状態で観察できる装置の発達が望まれている。【０００３】
蛍光用励起光の照射装置として、図９に示されるように、フィルタホイール８と多分岐光ファイバ束１６により波長が選択された光を対象物に照射する装置が知られている。そこでは、タングステンハロゲンランプなどの光源２からの光がレンズ４で光ガイド６に集められてフィルタホイール８に配置されたフィルタ１０に導かれ、フィルタ１０を透過した光が多分岐ファイバの入り口部１６Ａに導かれる。多分岐ファイバは入り口部は１本に束ねてあるが、途中の口がね部１６Ｂの位置で４本の束に分けられて測定暗室（記載は省略）に導かれている。フィルタホイール８は、多数のフィルタを備え、必要な励起波長に応じてフィルタを切り替えて励起波長を選択し、多分岐光ファイバ１６で励起光を蛍光測定暗室内の所定位置まで導く。同様の装置が特許文献１にも記載されている。
【特許文献１】米国特許第６８９４２８９号公報
【発明の開示】
【発明が解決しようとする課題】
【０００４】
波長６５０ｎｍ〜９００ｎｍ程度の近赤外光は生体内部における光の透過率が比較的良いため、小動物中の内部にある癌組織など注目する分子に選択的に蛍光プローブを結合させ、外部からの蛍光観察によって小動物中の注目分子や組織の情報を得る手法が広まっている。この場合に蛍光励起光及び蛍光画像測定方法について望ましい要件を列挙すると以下のようになる。【０００５】
１）試料に励起光を照射したとき、注目する蛍光分子からは励起光とは異なる波長の光が放出されるので、検出側に励起光の波長成分を完全に遮断するフィルタを取りつけておけば、蛍光波長成分だけをきわめて感度よく検出できるというのが、蛍光測定の大原則である。しかし、実際には励起光のスペクトル中に、僅かながら蛍光波長と同じ弱い光（迷光）が含まれていることが多い。この成分が漏れ光となって検出したい蛍光に重なり、検出限界を下げる。このため、励起光波長成分中の、検出光の波長成分と重なる漏れ光波長成分を極力少なくする方策が求められる。【０００６】
２）（後述の例でも示すように）励起光を試料の前面から当てるか、背面から当てるかあるいは横方向から当てるかで、得られる情報が異なるので、当てる方向を切り替えられることが望ましい。【０００７】
３）プローブとして使う色素（蛍光分子）の種類に応じて、励起波長が異なるので、簡単に励起光波長を切り替えられることが望ましい。【０００８】
４）上記に加えて試料の観察（撮影）方向として、１方向だけでなく多方向から見た蛍光画像を撮影したい。この場合には試料に対して種々の角度（場所）から照らす必要があることから測定暗室内の限られた場所に多数の照射光源を配置する必要が生じるので、上記１）、２）及び３）の機能を備えながら、励起光照射装置を極力小型にできることが望ましい。【０００９】
図９に示した方式の励起光照射装置は、ハロゲンランプのような多数の波長成分を有する白色光源２からの光をフィルタホイール８の回転によりフィルタ１０を切り替えて波長選択した励起光を、光ファイバ１６によって測定室内の所定位置まで導く装置である。多分岐ファイバ１６で（この例では４分岐ファイバで）、励起光を必要な箇所まで導いている。しかしその方式では上記の１）から４）の要求をすべて満たすことは不可能である。例えば、励起波長をフィルタ１０で切り替えることはできるが、すべての多分岐ファイバ１６に光が同時に導かれてしまい、照射方向は選択できない。また、機械的な切替えを伴うので当然に装置が大きくかつ複雑になる。さらにファイバを使うと漏れ光波長成分を減らすことにも不利であることを後述する。【００１０】
これまで生体を対象とする蛍光測定は蛍光顕微鏡によく使われているが、その場合の励起光は顕微鏡の外で形成したのち光学系やファイバを用いて測定部に導くのが普通であった。これに対し、小動物のマクロ測定では顕微鏡の場合と異なり試料が大きいので、外から光を導くよりも測定室内に励起光照射装置を直接配置する方が好都合である。そして、測定室内に励起光照射装置を直接配置するには、励起光照射装置が小型であることが必要である。また、励起波長の切替えとともに、後述するように励起方向の切替えや多方向観察が有効であることが判明した。励起方向の切替えや多方向観察の要請からも励起光照射装置の小型化が課題になる。【００１１】
このような必要性にかんがみ、本発明の第１の目的は、少なくとも上記の１）と２）の要求を満たし、漏れ光波長成分が少なく、照射方向が容易に切り替えられる生体用蛍光測定装置を提供することである。【００１２】
本発明の第２の目的は、そのような生体用蛍光測定装置内に直接配置することができるようにするために、上記の４）の要求を満たして小型化し、光ファイバを介することなく試料を照射することのできる励起光照射装置を提供することである。
【課題を解決するための手段】
【００１３】
光源として広い波長範囲を発光するタングステン光源でなく、ほぼ単一波長の光を発光するレーザダイオード（ＬＤ：半導体レーザ）又は発光ダイオード（ＬＥＤ）を用い、しかもこれらＬＤ又はＬＥＤの発光の波長成分中、蛍光検出波長に重なる妨害波長成分を励起光から除去する光学特性をもつフィルタをこれらの光源に重ねて用いる。これらの光源を場所を異ならせて複数、又は隣り合わせて複数、配列した光励起部を形成し、その中の必要な光源を単に点灯のオン・オフによって照射方向の選択を行うことで、要求事項の１）と２）又は３）を実現する。【００１４】
すなわち、本発明の生体用蛍光測定装置は、生体試料が載置される試料ホルダーと、互いに異なる位置に配置された複数の励起光源を有する励起光照射装置と、前記励起光源の点灯状態を制御する電気的スイッチと、前記試料ホルダー上の試料から放出される蛍光の内の所定波長成分だけを透過させる蛍光側フィルタと、前記蛍光側フィルタを透過した蛍光による蛍光像を撮影する検出器と、前記検出器が撮影した画像を表示する画像表示装置と、を備え、さらに前記励起光照射装置は、前記励起光源から放射される励起光から、少なくとも蛍光側フィルタが通過させる波長と同じ波長成分の光を除去する光学フィルタを、それぞれの励起光源毎に備えたものである。【００１５】
ここで、励起光照射装置において互いに異なる位置に励起光源が配置されるというのは、互いに離れて配置される場合だけでなく、隣接して配置される場合も含んだ意味で使用している。【００１６】
ＬＤは単一波長を発光するから、フィルタを重ねる必要がないと思われがちであるが、その発光スペクトルは、詳細にみると図１Ａのように強い発振線２０の周りに弱い広がった発光部２２を伴っている。この発光部２２が長波長にも伸びているため、その一部２２Ａが蛍光検出用の蛍光側フィルタの透過域２４に重なり、蛍光側フィルタを透過した漏れ光がバックグランドになってしまう。そこで、強い発振線２０の波長域を含む狭い透過域２６をもつ励起側フィルタをＬＤに重ねることで、漏れ光を除きバックグランドの小さい測定を実現できる。ＬＥＤの発光スペクトル２８の場合も、図１Ｂのように発光波長の長波長側のテールの部分２８Ａが蛍光側のフィルタの透過域２４にずれ込んでいることが多い。そのため、ＬＥＤを光源に使用する場合も、適切に設計された励起フィルタを重ねることで、不要な長波長側のテールを切り取ることで励起光の漏れ光波長成分を除きバックグランドの小さい測定を実現できる。この場合に漏れ光波長成分の低減能力に関して、白色光をフィルタを介して選択する図９の従来法との大きな違いが存在することを以下に述べる。一般にフィルタ２６の阻止すべき波長成分（２２Ａや２８Ａの部分）を透過させない能力は完全ではなく、典型的には入射光強度の１０-6程度（即ち０.０００１％）ほどの光を通してしまう。したがって白色光を、同じ阻止フィルタで選んだときには、10E-6程度の漏れ光が生じる。これに対して、ＬＤやＬＥＤを用いた場合には、図１Ａの２２Ａや、図１Ｂの２８Ａと記載されている部分の強度は中心的な励起光の主成分２０又は２８の強度に比べれば、もともと２桁から３桁小さいことにある。したがってこれに１０-6程度の阻止能力のフィルタを組み合わせると、漏れ光波長成分の大きさは、励起光の主成分の１０-8〜１０-9となり、更に高性能のフィルタを使うことに匹敵することがわかる。このように、本発明は簡易に励起光光源を選べるという効果だけでなく、漏れ光波長成分抑制により蛍光検出能力を上げる上でも大きな利点を持っている。さらに、ファイバとフィルタホイールを用いない本方式が漏れ光波長成分抑制に対して有利な点として以下２点が有ることも強調できる。１つはファイバが発する蛍光・ラマン光である。ファイバは１ｍ程度の長さを要するのでファイバ材料からでる蛍光・ラマン光の発光が無視できないことが多い。もう一つはフィルタホイールを可動にする必要がらどうしても隙間が必要で、ここから光が漏れやすく、光漏れを阻止する高精度で複雑な機械加工を要するのに対し、光源にフィルタを固定してしまう本方式は簡単で安価な方法でも漏れがおこらない。【００１７】
以上に述べた本方式の漏れ光波長成分を抑制する要因をもう一度纏めると、１）フィルタが阻止すべき波長域に発光強度が弱い光源を組み合わすことでフィルタの実質的な阻止効率を向上できること、２）ファイバからの発光が無いこと、３）フィルタホイールのような可動部分から起こる隙間漏れがあり得ないこと、の３点である。【００１８】
プローブとして使う色素の種類に応じて励起波長を簡単に切り替えられるようにする要求事項の３）をさらに実現するためには、複数の励起光源は好ましくは発光波長が互いに異なっている光源にそれぞれのフィルタを組み合わせた構成とし、電気的スイッチによる励起光源の点灯の切替えに伴なって励起光の波長も切り替えられるようにする。ただ場合によっては、図１Ｃのように複数の励起光源は同じ波長分布をもつものを使う変形が可能である。すなわち波長特性２８の発光ダイオードに励起フィルタ２６Ａを組み合わせた励起光源と、波長特性２８の別の発光ダイオードに励起フィルタ２６Ｂを組み合わせた励起光源を用いる変形である。この場合は励起波長の主成分はフィルタの方で決まるから、同じ波長特性の光源であっても、フィルタ２６Ａが組み合わされた方を点灯すればフィルタ２６Ａの波長を照射、フィルタ２６Ｂが組み合わされた方を点灯すればフィルタ２６Ｂの波長を照射することになる。ただし、この例ではフィルタ２６Ａ阻止波長で光源のスペクトルが強いので、漏れ光波長成分抑制について述べた３つの効果の内の第１の効果だけは期待できないものの、第２、第３の効果は期待できるので、励起光源にフィルタ２６Ａにピッタリに合うものが得られない時の代替え手段として依然として有効である。図１Ｃの変形例から言えることは、実質的な照射波長が光源の発光スペクトルとフィルタの透過スペクトルの積のスペクトルで決まることである。そこで、光源のスペクトルの拡がりよりフィルタの透過スペクトル拡がりが狭い図１Ｃのような時は、フィルタの透過スペクトルの違いが波長を決定する。一方どちらのフィルタ機能を作動させるかは光源側の点灯オン・オフによるわけで、フィルタを機械的に動かすことなく所要の波長選択を、波長特性の同じ（又は無関係な）光源のオン・オフで対処できていることが解る。【００１９】
試料の全周にわたる多方向からの観測画像を得ることができるようにするためには、前記検出器を２次元検出器とし、試料ホルダー上の試料から各観測方向に放出される蛍光の画像を２次元検出器に導く反射鏡などの導光光学系をさらに備えたものとする。多方向観察装置は、小動物の裏側に癌ができているような場合でも見落とすことがない。、さらに、実施例にて後述する多方向照明によって蛍光体が存在する位置の深さに関する情報もが得られる。【００２０】
図９に示されたような従来よく使われている方式では、タングステンハロゲンランプを光源とし、励起側フィルタによって必要な波長を選択したのち、分岐ファイバによって測定室の必要な箇所に励起光を分配することとなるが、分岐ファイバのすべてに同時に光が導かれてしまい、必要な場所だけに切り替えることはできない。また光ファイバ自身からも蛍光が出る場合は、それも前述したように漏れ光波長成分の要因となるので、蛍光の出ない高価な光ファイバを必要とする。これに対し、小さなＬＤ又はＬＥＤは場所を取らない光源であり、装着しようとする生体用蛍光測定装置内に収納すれば光ファイバも必要としない。これにより、要求事項の４）を実現する。【００２１】
このような目的でなされた本発明の蛍光測定用励起光照射装置は、励起光を照射することにより試料から放出される蛍光の内、所定波長成分だけを透過させる蛍光側フィルタを通過した蛍光を、蛍光像として撮影する生体用蛍光測定装置内に収納される蛍光測定用励起光照射装置であって、レーザダイオード又は発光ダイオードからなる励起光源、及び前記励起光源に一体的に設けられ、前記励起光源スペクトル中、少なくとも前記所定波長成分を除去する光学特性をもつフィルタを含む照明ユニットと、前記励起光源の点灯状態を制御する電気的スイッチと、を備えたものである。【００２２】
これら照射ユニットを、波長及び照射方向のそれぞれに対して複数配置し、必要な照射ユニットの励起光源を点灯させることにより、波長の選択と照射方向の選択を行うようにするのが好ましい。【００２３】
前記照射ユニットは励起光源とフィルタの組を複数組備えているようにすることができる。その場合、励起光源は互いに発光波長の異なるものを含み、電気的スイッチは発光波長の異なる励起光源を切り替えて点灯できるようになっていることが好ましい。【００２４】
フィルタの光学特性を維持するためには、励起光源とフィルタの間には励起光源からの発光の発散角を制限する手段として、フィルタに入射させる平行化レンズ又は開口絞りが配置され、フィルタの出射側にはフィルタを透過した光を発散させる発散化レンズが配置されていることが好ましい。【００２５】
さらに、照射ユニットは蛍光測定装置内に設けられた保持部に着脱可能に装着されるようになっていてもよい。【００２６】
以上、マクロサイズの試料の蛍光測定を目的とする蛍光励起光源に必要な４条件の実現方法を述べてきたが、論点を再度整理しておくと以下のように纏められる。【００２７】
試料がマクロサイズであるために、蛍光照射光源切替えを、互いに隣に並んだ光源の点滅によって行う場所的余裕ができていることに注目した点にある。従来顕微鏡的な小さい試料では、全く同じ場所にある光源やフィルタの差し替えを必要としたので、通常波長フィルタ自身の物理的な交換としてフィルタ円板を要した。しかし本発明は試料の顕微鏡的制約を取りはらわれたマクロサイズの試料条件を有効に利用することで、光源とフィルタの一体的な組合せからなる、異なる照射光源を互いに隣に並べ、機械的な駆動を用いることなく、波長切替えと照射方向切替えを、単なる電気的な点滅だけによって、可能にできる手法を提案するものである。【００２８】
この考えから、「光源とフィルタの一体的な組合せ」に好都合な、発光点の面積が小さく物理的サイズも小さい、発光ダイオードやレーザダイオードを用い、フィルタとして小さくブロック状に切断したものを光源に一体的に組み合わせることを発明したものである。【００２９】
この結果初めに述べた４つの条件
１）漏れ光波長成分を抑制する３要因（フィルタの阻止効率を向上・ファイバからの蛍光などの発光が無い・機械的稼働部の隙間の漏れ光がない）を満たす、２）照射方向切り替えが容易、３）波長切り替えを光源のオン・オフで実現、４）小型化を実現した。
【発明の効果】
【００３０】
本発明の生体用蛍光測定装置及び励起光照射装置では、レーザダイオード又は発光ダイオードからなる光源にさらに漏れ光を除去するフィルタを重ねたので、迷光を抑えて蛍光成分だけをきわめて感度よく検出できる。そして、レーザダイオードや発光ダイオードは無駄な波長域の発光が無い上、単位波長幅に対する強度が大きいので、ハロゲンランプにフィルタホイールを組み合わせて波長選択する場合に比べ、強い励起光を得ることができ、測定時間の短縮や測定感度の向上に寄与する。【００３１】
また、本発明の生体用蛍光測定装置では異なる位置に配置された複数の励起光源の点灯を制御するようにしたので、機械的機構なしで励起光の照射方向の切替えあるいは、複数の方向から同時に照らしたり等を、自在に選ぶことができ、検出したい蛍光分子の存在場所の新たな知見が得られる。【００３２】
本発明の励起光照射装置では、照明ユニットが蛍光測定装置内に収納される大きさに組み立てられているので、光ファイバのような光を導く部品を用いなくても試料を直接照射して励起することができる。
さらに、小型化された励起光源の効果として、多方向観察のために反射ミラーなどで制約された場所にファイバを用いずに多数の光源を配置する必要を満たすことができる。
【図面の簡単な説明】
【００３３】
【図１Ａ】レーザダイオードの発光スペクトルとフィルタの透過特性を示す図である。
【図１Ｂ】発光ダイオードの発光スペクトルとフィルタの透過特性を示す図である。
【図１Ｃ】波長特性が同じ発光ダイオード２個に、異なる透過特性の励起フィルタを組み合わせる励起光源のスペクトル図である。
【図２】生体用蛍光測定装置の一実施例を概略的に示す要部斜視図である。
【図３】励起光照射装置の一実施例を示す概略斜視図である。
【図４Ａ】励起光照射装置の他の実施例を示す外観斜視図である。
【図４Ｂ】同実施例の励起光照射装置の断面図である。
【図４Ｃ】励起光照射装置のさらに他の実施例を示す外観斜視図である。
【図５】生体用蛍光測定装置の他の実施例を概略的に示す要部斜視図である。
【図６】同実施例において２次元検出器上に結像した画像を示す平面図である。
【図７】同実施例を試料の軸方向からみた状態で示す正面図である。
【図８Ａ】測定した模擬試料を示す透視図である。
【図８Ｂ】５方向同時観察・５方向切替え照射装置によって撮影した画像である。
【図９】従来の励起光照射装置を概略的に示す斜視図である。
【符号の説明】
【００３４】
３０，３２，３４，４２，４８      照射ユニット
３６      カメラ部
ＦEM      蛍光側フィルタ
Ｆex      励起用フィルタ
Ｌ      結像レンズ
３８      ＣＣＤ検出器
４０      測定室
【発明を実施するための最良の形態】
【００３５】
（第１実施例）
［左・右、及び背面の３方向の切替え照射方式の蛍光観察装置］
図２に、第１の実施例として、左・右、及び背面の３方向切替え照射方式の蛍光観察装置を示す。中央の試料ホルダー（図示略）上に生体試料Ａとして小動物が配置され、その周囲３カ所に蛍光励起用の照射ユニット（左側照射ユニット３０、右側照射ユニット３２及び背面照射ユニット３４）が配置されている。試料Ａからの蛍光は、カメラ部３６に入射し、蛍光側フィルタＦEMを透過した後、結像レンズＬによって、二次元検出器であるＣＣＤ検出器３８上に結像され、蛍光像が取得される。【００３６】
３カ所の照射ユニット３０，３２，３４は同じものであるから、図中の左側照射ユニット３０に記載の要素部品について説明する。照射ユニット３０には２つのレーザダイオードＬＤλ１，ＬＤλ２が設けられており、レーザダイオードＬＤλ１，ＬＤλ２はそれぞれ波長λ１，λ２の光を発生する。レーザダイオードＬＤλ１，ＬＤλ２に接してそれぞれ励起側フィルタＦｅｘλ１，Ｆｅｘλ２が取りつけられている。レーザダイオードＬＤλ１の発光スペクトルのうち検出光の波長成分と重なる妨害波長成分がフィルタＦｅｘλ１で除去された後の漏れ光波長成分の非常に小さい光が左照射励起光λ１となる。先に述べたように漏れ光波長成分を抑制する３つの効果のためである。同様にレーザダイオードＬＤλ２から出た光は、励起側フィルタＦｅｘλ２を通過して左照射励起光λ２となる。これらの２つの波長は、単にレーザダイオードＬＤλ１，ＬＤλ２の電源のオン・オフで選択される。励起側フィルタＦｅｘλ１とＬＤλ２は、それぞれのレーザダイオードＬＤλ１，ＬＤλ２に専用に固定されているため、図９に示した従来方式のフィルタホイールのような機械的な切替えの必要はない。【００３７】
右側照射ユニット３２及び背面照射ユニット３４も全く同じ構造であるから、この実施例で用いるレーザダイオードは合計６個であり、３つの照射方向に各２波長分を備えていることになる。したがって、６個のレーザダイオードのうちの１つを選択して点灯することで、機械的駆動部なしで励起波長と照射方向を同時に選択できる。１つの励起波長については、照射方向を３種切り替えた状態で３枚のＣＣＤ検出器の画像を取得することができる。照射方向の違いによる蛍光像の相違から有用な知見が得られることは、後ほど図８のファントムの実測例によって詳しく説明する。【００３８】
また、レーザダイオードは同時に照射することもできるので、例えば「３つの方向同時」とか、「左・右の同時照射」によって、短時間に大体の情報を得る目的で使うこともできる。【００３９】
図２において、符号４０で示される「破線の枠内」は、外部の光が入らないように光遮蔽された暗室からなる測定室である。左・右、及び背面の３つの照射ユニット３０，３２，３４は、上述のように光源とフィルタを含む全素子を備えており、すべてがこの測定室４０内に配置されている。この点が従来の図９に示される光ファイバ方式で測定室の外部から光を導く方式、あるいは蛍光顕微鏡観察で使われるようなレンズや反射鏡などで試料位置まで光を導く方式、との根本的な相違である。【００４０】
なお、図２の上部には、カメラ部３６としてもう一つの破線枠が描かれている。測定室４０とカメラ部３６は蛍光側フィルタＦEMで隔てられている。すなわち、試料Ａから出た散乱光のうち、蛍光以外の成分は、蛍光側フィルタＦEMで遮断され、蛍光側フィルタＦEMを通過した成分だけがカメラ部３６に入って検出されるようになっている。ただし、実施例では図を簡単にするために蛍光側フィルタＦEMは１枚だけ書いてあるが、実際には、フィルタ円板によって複数のフィルタが切り替えられるようになっている。したがって照射ユニット３０，３２，３４で励起波長を切り替えたときには、図には書いていないフィルタ円板を回して、蛍光側フィルタＦEMも適当な１枚を選択し測定する。【００４１】
［光源数を増やした照射ユニットの実施例］
図２の照射ユニットに替えて、図３のような光源数を増やした照射ユニットを第１の実施例の３方向の照射に使うこともできる。図３では同じ波長に対してレーザダイオードを２つ使っているので、これらを同時に点灯することで比較的大きな試料をより均一に照らすことができる。【００４２】
図３の照射ユニットの構成では、光源取付けベース４０に４つのレーザダイオードＬＤλ１Ａ，ＬＤλ２Ａ，ＬＤλ１Ｂ，ＬＤλ２Ｂが配置されている。光源取付けベース４１は小動物の体軸に平行な方向に長く伸びた板状のホルダーで、これら４つのレーザダイオードは小動物の体軸の方向に並んでいる。この実施例では４つのレーザダイオードの内の２つ、すなわちＬＤλ１Ａ，ＬＤλ１Ｂは同じ波長（例えば７８０ｎｍ）を発振する。また残り２つのレーザダイオード、すなわちＬＤλ２Ａ，ＬＤλ２Ｂは別の波長（例えば６９０ｎｍ）を発振する。【００４３】
さらに４つのレーザダイオードそれぞれに励起光用フィルタＦｅｘλ１Ａ，Ｆｅｘλ２Ａ，Ｆｅｘλ１Ｂ，Ｆｅｘλ２Ｂが重ねて取りつけられており、レーザダイオードと励起光用フィルタの４つの組（ＬＤλ１ＡとＦｅｘλ１Ａ），（ＬＤλ２ＡとＦｅｘλ２Ａ），（ＬＤλ１ＢとＦｅｘλ１Ｂ），（ＬＤλ２ＢとＦｅｘλ２Ｂ）のそれぞれがそれぞれの励起光を試料Ａに向けて照射する。既に述べたようにレーザダイオードは発振波長の裾に、弱いすそ野の発光波長をもつことが多く、レーザダイオード単体にそれぞれに対応するフィルタを組み合わせることで、励起光中に含まれ、検出すべき蛍光の波長成分と重なるため妨害成分（迷光）になる波長成分をきわめて微少なレベルに軽減する効果があることが判った。この構造を有する照射ユニットを試料の周囲に配置しておき、３つの照射ユニットの各４つのレーザの必要なものを単に電気的な選択で点灯することで、照射方向の選択と励起波長の選択とを自在に行うことができる。【００４４】
なお図３の実施例では２つ波長のレーザダイオードを備えている例を示したが、スペースが許す範囲で、もっと多数の波長のレーザダイオードを並べてもよいのは当然である。【００４５】
またレーザダイオードと励起フィルタは互いに固定されているからレーザダイオードの発光が必ずフィルタを通過し、フィルタ以外の隙間をすり抜ける漏れ光を生じないよう、図には示されていないが、適当な光遮蔽部品で覆うことができる。【００４６】
励起側を上記のように構成しておけば、励起側と蛍光側の波長選択の方法は次のようになる。励起光源の位置と波長を電気的なオン・オフ方式で選択するとともに、図２に示す蛍光側フィルタＦEMの選択は、透過波長の異なる複数のフィルタＦEMを回転円板に取りつけておいて、回転円板を回転させて切り替えることで行う。このようにして、蛍光側フィルタＦEMの円板の回転機構だけが機械的な稼働部として残るけれども、その他はすべて可動部分がなく、多方向の蛍光励起・検出方法としては極めて簡単な切替え方法を実現できる。【００４７】
［多数の発光体をモザイク状に並べたさらに異なる照射ユニットの実施例］
照射ユニットは図４Ａ〜４Ｂのように発光体と励起用フィルタＦexの組を多数モザイク状に並べた面状多波長励起光源として構成することができる。図４Ａは４つの波長λ１、λ２、λ３、λ４を繰り返し配置して長方形の照射ユニット４２としたものを示している。平面状の照射ユニット４２が形成できるので比較的大きい試料に対して均一な照明を行うのに適している。【００４８】
図４Ｂは照射ユニット４２の内部の構造を示している。発光体としては安価なＬＥＤを多数用いて、それぞれのＬＥＤに小さな励起用フィルタＦexを組み合わせている。ＬＥＤの発光スペクトルはブロードであっても、蛍光の発光波長に重なるＬＥＤの発光スペクトル成分を、図１Ｂで示したように干渉フィルタからなる励起用フィルタＦexで除くことで、漏れ光（迷光）の少ない照射ができる。【００４９】
励起用フィルタＦexを通過する光が極度に斜めになる（即ち発散角が干渉フィルタの限度以上に大きい）とき、干渉フィルタの性能劣化を伴うのを防止するために、図４Ｂに示されるように、励起用フィルタＦexを夾むように平行化レンズ４４と発散化レンズ４６を配置するのが好ましい。ここでは、小さなＬＥＤ素子からの発散光を球レンズなどの凸レンズからなる平行化レンズ４４で発散角を減らしてから、干渉フィルタＦexを通したのち、再び発散化レンズ４６で角度を広げて広範囲を照明するようにしている。なお、発散角を減らすための処置として、上記の平行化レンズ４４を用いる代わりに適当な開口絞りを用いてもよい。レーザダイオードなど光源から出る光の大半が狭い角度に集中している場合には、開口絞りを用いても光量ロスが許容限度内に収まるからである。また発散化レンズは本図のような球レンズなどの凸レンズでもよいし、凹レンズでもよい。なお、フィルタＦex前後の平行化と発散化処理は、第２図又は第３図の照射ユニットにも当然適応できるが、図と説明を簡単にするため特に触れていない。【００５０】
このような構造をもつ図２、図３、図４Ａ又は図４Ｃに示される照射ユニットを照射方向の数だけ（実施例１では３個）配置することで図２の３方向照射型の蛍光撮像装置が構成される。【００５１】
さらに異なる照射ユニットの実施例を図４Ｃに示す。図４Ｃは、照射ユニット４８を蛍光測定装置本体に固定的に配置するのでなく、蛍光測定装置の本体内に着脱自在に取りつけるようにしておく実施例である。すなわち、蛍光測定装置本体側に着脱用のスロッ５０トを備えた保持部５２を取りつけておき、照射ユニット４８を適当な着脱用ホルダ４９に固定したものをこのスロット５０に差し込むことで着脱可能にしておく。照射ユニット４８への電源供給はソケット５４からスイッチボックス５６を介して供給される。スイッチボックス５６の切替えにより照射ユニット４８のオン・オフを制御する。【００５２】
このような照射ユニット４８とすることにより、１つの照射ユニット４８の発光波長が１波長であっても、異なる照射ユニット４８と交換することで、任意の異なる波長を選べる。また、ほかの異なる形式の照射ユニットも装着して使用できる。【００５３】
照射ユニット４８は適当なスイッチ回路を設けることで必要時のみに発光させることができる。また本体側の保持部５２を蛍光測定装置内の種々の箇所で、それぞれに装着される照射ユニット４８が試料に向けられるような照射角度をもって備えておくことで、照射方向の選択も可能である。もちろん着脱式の照射ユニット４８が複数の発光波長をもち、点灯の切換えにより発光波長が切り替えられるようになっていてもよい。【００５４】
なお、本実施例では、スロット５０に着脱用ホルダ４９を差し込む例を示したが、スロット方式による着脱は単なる一例であって、適当な保持方法で照射ユニット４８を保持部５２に着脱可能に取りつけられればよいことは当然である。【００５５】
（第２の実施例）
第１の実施例は１つの観測方向について多方向の照射を行う例であるが、第２の実施例は多方向観察型装置にさらに多方向照射ユニットを組み合わせた蛍光測定装置である。これを説明する前提として、先に多方向観察型の蛍光測定装置について説明し、続いて多方向照射ユニットを組み合わせる方法について述べる。【００５６】
［多方向観察型の蛍光測定装置］
多方向観察の必要性は、例えば観測方向の裏側に発生している癌を見落とさないためである。そこで試料の表・裏・左・右など、多くの方向から観測することが必要となる。多方向観察を行う好都合な手法として、図５のような方法を挙げることができる。この例は同時５方向の観察をＣＣＤ検出器からなる１つの２次元検出器３８を用いて行うもので、試料Ａの５方向の像を、多面鏡（Ｍ２〜Ｍ５）と共通のカメラレンズＬを用いて共通の２次元検出器３８に結像させている。中央に配置した試料Ａの小動物（典型的にはマウス）を５つの角度から観測し、上部に配置した共通の結像レンズＬによって、共通の２次元検出器３８上に結像する。０度方向以外の観測角度７２°、１４４°、２１６°、２８８°の光線は、それぞれ、反射鏡Ｍ２，Ｍ３，Ｍ４，Ｍ５で反射され、結像レンズＬに入射し、共通の２次元検出器３８の上に結像する。【００５７】
ＣＣＤ検出器３８上には、図６のような像ができている。即ち右端から、７２°、１４４°、０°（中央）、２１６°、２８８°の像の順番になる。中央の０度の像は、反射鏡を介さないので結像レンズからの距離が近く大きな像になる。反射鏡Ｍ２〜Ｍ５を介する残りの４つの像は、反射鏡Ｍ２〜Ｍ５による試料の虚像までの距離がやや大きくなるので、０度方向に比べてサイズが小さくなるとともに左右が反転している。この結果、これら５つの像は、反射鏡Ｍ２〜Ｍ５によって距離（光路長）が変わるためそのままではＣＣＤ検出器３８上でのボケを生じる。しかし、この問題は５本の光線それぞれに対して、わずかに焦点距離の異なる補助レンズＬ１，Ｌ２，Ｌ３，Ｌ４，Ｌ５を挿入することで解決するができる。この例では最も距離の大きい１４４°と２１６°の光線に対する補助レンズＬ３とＬ４は、曲率をもたない平面でよく、反対に最も距離の短い０°に対する補助レンズＬ１はやや強い凸レンズ、中間距離の７２°と２８８°の光線には弱い凸レンズを使用する。即ち、補助レンズＬ１，Ｌ２，Ｌ３，Ｌ４，Ｌ５は全体として部分的に焦点距離が異なるモザイクレンズである。このように簡単な構造で可動部分なしに、異なる観測角度の試料像を一度に共通のＣＣＤ検出器３８上に結像することができる。【００５８】
この手法をさらに図７を用いて詳述する。試料Ａはここでは簡略化のために円筒形状の物品として記載している。中央に配置した試料Ａからの０度方向以外の観測角度７２°、１４４°、２１６°、２８８°の光線は、それぞれ、反射鏡Ｍ２，Ｍ３，Ｍ４，Ｍ５で反射される結果、反射鏡による試料Ａの虚像Ａ２’，Ａ３’，Ａ４’，Ａ５’ができるから、これらを上部にある結像レンズＬによって共通の２次元検出器（ＣＣＤ検出器）３８の上に結像させる。カメラレンズＬから下方を見ると、５つの方向の像（Ａは実像で、その他の４つの像Ａ２’，Ａ３’，Ａ４’，Ａ５’は虚像）が見えるが、それぞれの像迄の距離は図７から判るようにＡ３’，Ａ４’が最も遠く、Ａ２’，Ａ５’が中間の距離、正面の実像Ａが最も近い。したがって、図７の例では、カメラレンズＬの焦点をＡ３’、Ａ４’に合わせておくと、そのままではＡ２’とＡ５’、Ａ１の焦点はぼけるので、補助レンズ（凸レンズ）Ｌ２とＬ５で虚像Ａ２’とＡ５’の結像を補正し、補助レンズ（凸レンズ）Ｌ１で実像Ａの結像を補正する。ＣＤＤ３８上には、図６のような像、即ち右端から、７２°、１４４°、０°（中央）、２１６°、２８８°の像の順番になる。これらＣＣＤ検出器３８上にできる像は、実像Ａ，虚像Ａ２’，Ａ３’，Ａ４’，Ａ５’からレンズＬ迄の距離に応じて前述のように角度毎に倍率の相違があり、かつ像Ａ２’，Ａ３’，Ａ４’，Ａ５’の像は左右が反転した像になる。この結果、図６のような像ができていることがわかる。【００５９】
結像レンズＬの典型的な焦点距離が１５〜２０ｍｍ程度（一例として、結像レンズＬから試料の虚像Ａ３’までの距離を３００ｍｍとし、試料がＣＣＤ検出器３８に結像する倍率を１５分の１とすれば、結像レンズＬの中心とＣＣＤ検出器３８との距離は３００ｍｍに倍率１５分の１を掛けた２０ｍｍとなるから、レンズＬの焦点距離も２０ｍｍ弱となる）である。これに対し、補助レンズＬ１，Ｌ２，Ｌ５の典型的な焦点距離を計算すると５００ｍｍから１５００ｍｍ程度となる。なぜなら、補助レンズＬ１は、試料Ａの位置（例えばレンズＬからの距離が２００ｍｍ：この距離をａとする）から出る光を虚像Ａ３’の距離３００ｍｍ（この距離をｂとする）から出るように変換すればよいので、補助レンズＬ１の焦点距離をｆとするとき、簡単な結像の式、（１／ｆ）＝（１／ａ）−（１／ｂ）よりｆが求まり、ｆ＝６００ｍｍとなる。一方、補助レンズＬ２，Ｌ５は虚像Ａ２’の位置約２５０ｍｍを虚像Ａ３’の距離３００ｍｍから出るように変換するので、焦点距離はいっそう長くなり、同様に計算すると、１５００ｍｍとなる。このように補助レンズＬ１，Ｌ２，Ｌ５はレンズＬに比べれば長い焦点距離、即ち極端に弱い曲率のレンズで十分に機能する。【００６０】
［多方向観察型の蛍光測定装置に多方向の照明を加える実施例］
再び図７を用いて説明する。図７は立面図で図５では省略している照射ユニットＳ１，Ｓ２，Ｓ３，Ｓ４，Ｓ５を記載してある。照射ユニットとしては、既に述べた図２、図３又は図４の構造のものを用いることができる。これら５つの照射ユニットＳ１，Ｓ２，Ｓ３，Ｓ４，Ｓ５から試料Ａを周囲５つの角度から照らしている。この際に好都合な点は、蛍光測定装置内で反射鏡Ｍ２，Ｍ３，Ｍ４，Ｍ５の隙間にちょうど照射ユニットＳ１，Ｓ２，Ｓ３，Ｓ４，Ｓ５を配置する位置が確保できることである。この５方向等分割測定の例では、試料Ａ又はその像Ａ２’，Ａ３’，Ａ４’，Ａ５’が７２度毎にできており、試料Ａから直接又は反射鏡Ｍ２，Ｍ３，Ｍ４，Ｍ５の中心（又は正面のレンズＬの中心）に向かう主光線に対して、試料Ａを照射する励起光の向きは、プラス３６度又はマイナス３６度の斜めの方向になっている。６等分の場合この角度はプラス・マイナス３０度、７等分にすれば、プラス・マイナス２５．７１４度になり、いずれも蛍光を測定するのに適当な照射角度になる。【００６１】
通常、蛍光測定では、検出したい分子種とか腫瘍特異性を有する蛍光プローブの吸収波長にあわせて照射ユニットＳ１，Ｓ２，Ｓ３，Ｓ４，Ｓ５の波長を選択する。この実施例では照射ユニットに含まれるレーザダイオードＬＤの電気回路のオン・オフにより簡単に波長を選ぶことができる。カメラレンズＬの直前に蛍光側フィルタＦEMが配置されており、励起光によって試料Ａから発生する蛍光波長成分のうち、ＦEMの透過域に入るものだけを検出するようになっている。励起光の波長成分のうち、波長が変わることなくそのまま散乱される成分は背景光（バックグランド光）となって測定を邪魔するから、励起光の波長成分を透過しないように励起光源の発光波長と蛍光側フィルタＦEMの特性を選ぶことが重要である。【００６２】
波長が決まると、５つの照射方向の照射ユニットＳ１，Ｓ２，Ｓ３，Ｓ４，Ｓ５のどれを点灯させるかで、必要な照射方向を容易に選ぶことができる。ここで蛍光励起を行いながら５つの角度から観測するには、励起光の点灯・消灯についていくつかの選択が可能である。第１の選択は最も簡単な測定法であり、照射ユニットＳ１，Ｓ２，Ｓ３，Ｓ４，Ｓ５のすべての方向のレーザダイオードを同時に点灯させ、即ち試料Ａを全周から常時照射した状態で、図６のようにＣＣＤ検出器３８上に現れる５つの画像を撮影（記録）するものである。【００６３】
第２の選択は、照射ユニットＳ１，Ｓ２，Ｓ３，Ｓ４，Ｓ５を１つずつ順次点灯して５回露光を行う方法である。こうすると、試料Ａから見るとき、前から励起光を照らすときの蛍光画像だけでなく、後ろからだけとか、横からだけ照らすときの画像が得られる。つまり、試料Ａからの５方向の観測画像それぞれに対して励起方向の異なる５つずつの画像を得ることになり、合計２５枚の画像を５回の露光で得ることができる。【００６４】
５つの異なる照射方向を切り替える有効性を示す測定例を図８Ａ，８Ｂに示す。試料は図８Ａに示されるように、マウスを模擬した直径２５ｍｍ長さ１５０ｍｍの円柱状のファントムであって、生体と同程度の吸収散乱係数を持たせている。深さ２ｍｍと４ｍｍの図で示した位置に２つの微小な蛍光発光源６０，６２を埋め込んだものである。これを図７に示す５方向同時観察・５方向切替え照射装置によって撮影した。すなわち照射ユニットＳ１〜Ｓ５までの５方向の照射を順次切り替えながら、５つの観測方向の画像を得た例であり、図８ＢのＢ１〜Ｂ５に示されるように、合計２５個の像が得られている。なお図の発光量のスケールは右のスケールバーに示され、０〜２００、２００〜４００、というように、黒から白へのグレースケールを繰り返す表示にしてある。したがって、外側の真っ黒から最初の白色までが０〜２００の範囲で、２００を越えると一旦真っ黒になってから再び白くなり、４００を越えると再び真っ黒になる。これを繰り返すので白黒の縞が多いほど発光の強いことを示す。これらの画像より２つの微小蛍光体６０，６２の位置と照射方向の相対関係によって、蛍光の強度が変わって観測されていることが明瞭に認められる。例えばＢ１に示されるように、照射ユニットＳ１の方向からの照射では、深さ２ｍｍの浅い位置の蛍光体６０が０°の観察で非常に強く光り、深さ４ｍｍの蛍光体６２もかなり強く光っている。７２°の観察では深さ４ｍｍの蛍光体６２が比較的強く検出されている。照射をＳ２方向に変えると、Ｂ２に示されるように、深さ４ｍｍの蛍光体６２が７２°と１４４°の観察で強くなり、０°の観察では深さ４ｍｍの蛍光体６２が強いが、深さ２ｍｍの蛍光体６０も少し光っている。Ｓ３方向の照射に変えると、Ｂ３に示されるように、裏からの照射のため蛍光が全体として弱いが、０°の観察でよくみると深さ２ｍｍの蛍光体６０が弱く光っているのがわかる。なお１４４°と２８８°で比較的強く光っているのはファントムボディーの自身の蛍光である。Ｓ４方向の照射に変えると、Ｂ４に示されるように、浅い２ｍｍの蛍光体６０だけが０°の観察に見えている。さらにＳ５方向の照射に変えると、Ｂ５に示されるように、０°の観察だけに正面の深さ２ｍｍの蛍光体６０が非常に強く検出されている。【００６５】
このように図８Ｂの結果から、動物の体内の浅い位置に発光源があるか深い位置に発光原があるかで蛍光の強度の現れ方が規則的に変化することが示されている。すなわち画像の強度から深さを推定できる。一般に、浅い位置の発光源は２５枚のどれかの画像中の被写体の小さい部分が強く光るのに対し、深い発光源ならば２５枚のどの画像にも拡散した弱い発光分布となる。また、適当な逆問題のアルゴリズムを使うことで、在る程度の発光源の分布を画像化する方法も可能となる。このように図８Ｂの結果は、照射方向の違いが蛍光の現れ方を規定するから照射方向を容易に選択できる蛍光測定装置の有用性を示すものである。【００６６】
なお、照射方向はこの例のほかにも２つの方向から同時に照射するとか、いくつかの点灯の組合わせが可能である。いずれにしても本発明の重要なポイントは、蛍光励起方法は可動部分がなくて単に励起光の点滅だけで、試料の前・横・斜め・後ろからなど励起方向を自在に設定できることである。もちろん各照射ユニットに図３のような複数の波長を備えておけば、励起波長の選択も光源の電気的点滅だけで行うことができるので、照射系については可動部が全く不要になる。
【図１Ａ】
2008114372.tif 000003
【図１Ｂ】
2008114372.tif 000004
【図１Ｃ】
2008114372.tif 000005
【図２】
2008114372.tif 000006
【図３】
2008114372.tif 000007
【図４Ａ】
2008114372.tif 000008
【図４Ｂ】
2008114372.tif 000009
【図４Ｃ】
2008114372.tif 000010
【図５】
2008114372.tif 000011
【図６】
2008114372.tif 000012
【図７】
2008114372.tif 000013
【図８Ａ】
2008114372.tif 000014
【図８Ｂ】
2008114372.tif 000015
【図９】
2008114372.tif 000016
【国際調査報告】
2008114372.tif 000017
2008114372.tif 000018
2008114372.tif 000019
2008114372.tif 000020